(57)【特許請求の範囲】
【請求項１】
住宅の敷地境界線内に擁壁部材を積み上げて配置するとともに、
住宅建設に伴って生ずる掘削土を、前記擁壁部材の内側敷地内に盛土する住宅地盤の構築方法であって、
前記擁壁部材は、コンクリートによって成形した断面略Ｌ字状の擁壁基材と、コンクリート成形された円柱形の荷重部材とによって構成することを特徴とする住宅地盤の構築方法。
【請求項２】
荷重部材は、建築または土木用のテストピースであることを特徴とする請求項１記載の住宅地盤の構築方法。
【発明の詳細な説明】
【０００１】
【発明の属する技術分野】
本発明は、住宅まわりの地盤の構築方法に係り、特に一般地面よりも高くなる住宅地盤の端部を抑えるための擁壁の技術に関する。
【０００２】
【従来の技術】
低層階住宅の建築では、住宅基礎の構築や各種用水槽を配置するために大量の掘削土が発生する。従来、このような掘削土は、以後の住宅建築の作業の邪魔となるためトラックで外部へ搬出し（産業廃棄物として処理する）、敷地内に覆土して地盤を形成する必要がある場合には、改めて土砂を購入した上でトラックにより敷地内に土砂を運び入れる。
【０００３】
【発明が解決しようとする課題】
ところで、このような従来の地盤構築方法は、トラックの出入りが多くなり、近隣住宅への騒音の迷惑ともなるし、土砂の搬出搬入のたびに少なくないコストを要するため施主側の経済負担が大きくなるという難点がある。
【０００４】
これを解決するためには、住宅敷地内に擁壁を設けて、この擁壁内に掘削土を均等敷設する等の方法が考えられる。しかしながら、住宅の建築と前後して或いは同時進行的に擁壁を構築するという地盤形成方法は、当業者の間では従来、あまり現実味がないとされた。その理由は次の通りである。
【０００５】
住宅用の擁壁として考えられるのは、地盤埋設型のもの、具体的には例えば図８に示すように、逆Ｔ字状擁壁１である。２は一般地面、３は敷地地盤（住宅地盤）である。このような埋設型の擁壁１は、住宅の基礎（いわゆる布基礎）と同じ構造をとるため、建築コスト作業日数も多大となってしまい、トラックによる掘削土の搬入搬出を行った方が経済的であり効率的であることは当業者であれば容易に計算できる。これが理由の一である。
【０００６】
また擁壁１に働く土圧の計算をすると、特に寒冷地では凍結深度の影響を考慮しなければならないため、一般地面２より下に埋設部分があるタイプの擁壁構造では、一般地面２の土圧も必然的に擁壁１の構造条件となってしまう技術上の不利益がある。これが第二の理由である。
【０００７】
このため、住宅建築の経済性や効率性を度外視すれば、擁壁１を作って掘削土を敷地内に盛土（覆土）することも不可能ではないが、現在に至ってもそのような工法はとられていないのが実状である。
【０００８】
そこで本発明の目的は、掘削土を敷地内に盛土するという条件（とくに土圧条件）に十分に耐えられる構造強度をもち、かつ構築コストと作業日数に無理の生じない擁壁を提供することによって、住宅の地盤形成の効率と経済性を確保する点にある。
【０００９】
【課題を解決するための手段】
前記目的を達成するため、本発明に係る住宅地盤の構築方法は、住宅の敷地境界線内に擁壁部材を積み上げて配置するとともに、住宅建設に伴って生ずる掘削土を、前記擁壁部材の内側敷地内に盛土する方法であって、擁壁部材は、コンクリートによって成形した断面略Ｌ字状の擁壁基材と、コンクリート成形された円柱形の荷重部材とによって構成する。荷重部材は、建築または土木用のテストピース（コンクリート圧縮供試体）を用いる場合がある。
【００１０】
【発明の実施の形態】
図１〜図３は、本発明に係る住宅の地盤構築方法の実施形態を例示するものである。まず本発明に係る住宅の地盤構築方法は、図２および図３に示すように、敷地境界線の内側に擁壁２０を作る一方、住宅１１を建設する箇所を掘削したときに生ずる土砂（掘削土）１２を、擁壁２０によって囲まれた敷地内（住宅１１を建設する部分を除く）に盛土する。
【００１１】
擁壁２０は、一般地面２の下には埋設させる必要はない。一般地面２の上に積み上げて構築する構造をとれば十分である。この擁壁２０は、例えば、図１に示すように、断面略Ｌ字状の擁壁基材２１と、この擁壁基材２１の底面２２に多数本配設する円柱形のテストピース２５とによって構成する。２３は、擁壁基材２１の底面２２の一端部から略垂直に立ち上げた正面壁である。
【００１２】
本発明に係る擁壁２０は、一般地面２の上に積み上げて構築すれば良いので、擁壁２０にかかる土圧は、掘削土１２を盛土した部分の荷重（土圧）を勘案すれば十分である。一般地面２の土圧の影響はまったく受けないからである。そしてこの場合の土圧は、それほど大きな数値にはなり得ない。何故なら、敷地内に積み上げる地盤形成用の掘削土は、基本的には転圧をせずにそのままの状態で土を盛っていけば良く、ローラを用いた特別の転圧処理を要しないからである。つまり盛土の領域端縁に作用する土圧は、せいぜい積み上げた盛土の高さに比例する程度であって、転圧されていない盛土は経年沈降による土圧、或いは地震時に作用する加重土圧が働く程度のものにすぎないからである。
【００１３】
一方、このような土圧に抗するには、擁壁２０の全体構造には十分な重量性が要求される。本実施形態に係る擁壁２０は、擁壁基材２１とテストピース２５によって重量を確保する構造である。テストピース２５の大きさと重量は規格によって定まっている。例えば建築用の場合は、直径１０ｃｍ、高さ２０ｃｍ、重量３．６Ｋｇである。従って、テストピース２５を荷重部材とする限り、擁壁基材２１の底面２２の大きさ（突出寸法Ｗ）と、正面壁２３の高さ（Ｈ）は一義的に決めることが出来る。
【００１４】
正面壁２３の高さ（Ｈ）は２０ｃｍで良い。ひとつの擁壁基材２１には、上下方向に一段（一個）のテストピース２５しか配設しないからである。一方、擁壁基材２１の底面２２の大きさ（突出寸法Ｗ）は、テストピース２５の半径をｒ（２０ｃｍ）とした場合に、図４に示すように、前後方向に二列配置する場合は、その突出寸法をＷ２として、
Ｗ２＝２ｒ×ｓｉｎ６０＋２ｒ
で求めることが出来る。また前後方向に三列配置する場合は、その突出寸法をＷ３として、
Ｗ３＝４ｒ×ｓｉｎ６０＋２ｒ
で求めることが出来る。つまり前後方向にｎ列配置する場合、突出寸法をＷｎとすれば、
0003785089.tif 000002
の設計寸法になる。勿論、テストピース２５の配置作業の容易のために若干の余裕寸法を見込むことは自由である。
【００１５】
図５〜図７に例示するように、擁壁基材２１の積み上げ方は盛土端部の形状に応じて自由に設計できる。図５に示すように上下方向垂直に積み上げても良いし、図６に示すように段状に積み上げても良い。また図７に示すように、反転させて底面２２が上面となるように配置しても良い。
【００１６】
従って、かかる地盤構築方法によれば、住宅建築に際して生ずる掘削土を外部に搬出したり再度搬入する手間を省き、掘削土をそのまま住宅敷地内の地盤形成に活用することが可能となる。この結果、トラックの搬入搬出に伴う騒音を確実に低減し、建築コストも低減可能となる。
【００１７】
擁壁２０の構築も非常に簡単である。人力で作業できる程度の重量になるよう擁壁基材２１の寸法を設定すれば、敷地境界線の内側に人力で擁壁基材２１を一段だけ配列し、そこにテストピース２５を配置するだけで、テストピース２５の重量に応じた必要重量の擁壁２０の最下段を作ることが出来る。二段目も同じである。最下段の擁壁２０の上に、二段目の擁壁基材２１を垂直または段状に配列し、テストピース２５を配列する。こうして三段目以降も同様の手順で人力で形成してゆくことが出来る。
【００１８】
前後複数列（例えば三列）にテストピース２５を配置するような場合、テストピース２５を予め必要個数（例えば三個）ずつ金属線などで堅縛しておけば、作業効率を確実に高めることが出来る。
【００１９】
すでに述べたように、テストピース２５の重量は一本３．６Ｋｇである。ひとつの擁壁基材２１に、前後三列にテストピース２５を配置する構造とし、擁壁基材２１の長手方向寸法を１００ｃｍとした場合、ひとつの擁壁基材２１の上に載るテストピース２５の数は平均３０本である。重量で云えば、テストピース２５の重量だけで１０８Ｋｇであり、これに擁壁基材２１の重量（例えば１０〜２０Ｋｇ）が加算される。擁壁基材２１の重量を１５Ｋｇと仮定し、上下方向に４段の擁壁基材２１を積み上げるとすれば（高さ約５０ｃｍ）、横幅１ｍあたりの擁壁重量は平均４９２Ｋｇである。盛土した掘削土の土圧に抗するには、この程度の擁壁重量があれば十分である。
【００２０】
尚、敷地坪数を仮に６５坪と仮定した場合であって、前記条件でテストピース２５を配列するとすれば（前後三列、上下４段）、全体で使用するテストピース２５の数は約２５００本、重量換算で８７００Ｋｇであり、これは敷地内盛土として使用する掘削土の数倍の重量に相当する。
【００２１】
擁壁基材２１を段状に積み上げた場合は、突出上面を花壇などに利用できる。従って、例えば垂直に積み上げた擁壁２０を後日段状に積み替える必要が生じた場合でも、擁壁２０のデザイン変更を簡単に行うことが出来る。当該部分に配列してあるテストピース２５を取り除いて最上段の擁壁基材２１を動かし、次段のテストピース２５を除去してその段の擁壁基材２１を動かすという順序で擁壁基材２１を段状に組み替え、爾後、テストピース２５を並べ戻してゆけば良いからである。擁壁２０は全体としては重いが、構成部材ごとにみれば人力で作業できる重量であるから、一人でもスムースに擁壁２０のデザイン変更を行うことが出来る。地震等によって擁壁２０にずれが生じた場合の修復も同じである。
【００２２】
尚、本発明に係る荷重部材は、必ずしもテストピースに限らない。低コストで必要重量をもつ限り、金属またはコンクリートの円柱材、角柱材を使用しても良い。しかしながら建築用または土木用のテストピース２５は、規格が一定で重量確保のための素材としては最も優れる。
【００２３】
【発明の効果】
以上説明したように、本発明によれば、十分な構造強度をもち、構築コストと作業日数に無理の生じない擁壁を形成することが出来、住宅の地盤形成の効率と経済性を確保することが可能となる。
【図面の簡単な説明】
【図１】  本発明に係る住宅の地盤構築方法の実施形態を例示するものである。
【図２】本発明に係る擁壁の配置を平面から例示する図である。
【図３】本発明に係る擁壁の配置を側面から例示する図である。
【図４】本発明に係る荷重部材の配置状態を平面から例示する図である。
【図５】本発明に係る擁壁基材の第一の配置例を側面から示す図である。
【図６】本発明に係る擁壁基材の第二の配置例を側面から示す図である。
【図７】本発明に係る擁壁基材の第三の配置例を側面から示す図である。
【図８】一般的な擁壁構造を例示する図である。
【符号の説明】
２  一般地面
１１  住宅
１２  掘削土
２０  擁壁
２１  擁壁基材
２２  底面
２３  正面壁
２５  テストピース
【図１】
0003785089.tif 000003
【図２】
0003785089.tif 000004
【図３】
0003785089.tif 000005
【図４】
0003785089.tif 000006
【図５】
0003785089.tif 000007
【図６】
0003785089.tif 000008
【図７】
0003785089.tif 000009
【図８】
0003785089.tif 000010